(57)【特許請求の範囲】
【請求項１】
筐体内に空気を吸い込む空気吸込口と、前記筐体内から外部へ空気を吹き出す空気吹出口と、前記空気吸込口と前記空気吹出口とを連通させる通風路を備える本体部とを有し、
前記本体部内に、取り込んだ空気を脱臭する脱臭ユニットと、取り込んだ空気を加湿する加湿ユニットと、送風機とを備えた空気清浄機であって、
前記脱臭ユニットは脱臭フィルタを備え、前記加湿ユニットは加湿フィルタを備え、
通風方向に対して前記脱臭ユニットと前記加湿ユニットとをお互いに一部が重なるように前記通風路に沿って順次配置したことで、前記通風路内に、前記加湿ユニットを通過せずに前記脱臭ユニットを通過する第１通風経路と、前記脱臭ユニットを通過せずに前記加湿ユニットを通過する第２通風経路と、前記脱臭ユニットと前記加湿ユニットの両方を通過する第３通風経路とが形成される、
ことを特徴とする空気清浄機。
【請求項２】
前記脱臭ユニットを前記加湿ユニットの風上側に配置し、
前記脱臭ユニットは前記脱臭フィルタを保持する保持部を備え、
前記保持部は、前記通風方向に対して前記脱臭フィルタとは重ならずに前記加湿フィルタとは一部が重なる位置に、取り込んだ空気を通風する通風手段を形成することを特徴とする請求項１に記載の空気清浄機。
【請求項３】
前記脱臭ユニットは前記通風路の上部に沿って配置され、前記加湿ユニットは前記通風路の下部に沿って配置されており、前記通風方向に対して前記脱臭フィルタの下部と前記加湿フィルタの上部とが重なるように前記通風路に沿って順次配置することを特徴とする請求項１または請求項２に記載の空気清浄機。
【発明の詳細な説明】
【技術分野】
【０００１】
本発明は、脱臭ユニットおよび加湿ユニットを備えた空気清浄機に関する。
【背景技術】
【０００２】
従来、空気清浄機として、本体筐体内に設けられた送風機の駆動によって本体筐体内に吸い込んだ空気を、集塵フィルタと脱臭ユニットと加湿ユニットとに順次通過させるものがある（例えば、特許文献１参照）。
【０００３】
特許文献１に記載の空気清浄機は、空気吸込口から本体筐体内に吸い込んだ空気を空気吹出口へ導く送風路を有し、空気吸込口から空気吹出口へ向かう方向に順に、集塵フィルタ、脱臭ユニット、加湿ユニット、送風機が配置されている。
【０００４】
集塵フィルタは、ゴミや塵を除去する。脱臭ユニットは、臭気を吸着して分解する触媒フィルタと、この触媒フィルタを加熱する加熱部とで構成され、触媒フィルタを加熱部で加熱し触媒フィルタの脱臭能力を再生する。加湿ユニットは、加湿フィルタと、加湿フィルタに水を供給する貯水タンクとで構成される。送風機は、ファンモータと、ファンモータの出力軸に接続されたシロッコファンとで構成される。
【０００５】
送風機の駆動により空気吸込口から送風路に吸い込まれた空気は、集塵フィルタを通過する際に空気に含まれる塵埃が除去され、脱臭ユニットを通過する際に空気に含まれる臭気成分が除去され、加湿ユニットを通過する際に空気が加湿される。このようにして浄化された空気は、送風機の駆動により空気吹出口から室内に吹き出される。
【先行技術文献】
【特許文献】
【０００６】
【特許文献１】特開２０１２−３４８８７号公報
【発明の概要】
【発明が解決しようとする課題】
【０００７】
特許文献１に記載の空気清浄機では、送風機の駆動により空気吸込口から送風路に吸込まれた空気は、脱臭および加湿されて空気吹出口から室内に吹き出される。しかしながら、脱臭ユニットと加湿ユニットは、空気吸込口から送風路に吸込まれた空気を順次通過させる直列的な配置となっているため、脱臭ユニットと加湿ユニットが大きな通風抵抗となり、十分な風量を確保できなかった。
【０００８】
一方、脱臭ユニットと加湿ユニットを並列的に配置し、空気吸込口から送風路に吸込まれた空気を脱臭ユニットまたは加湿ユニットだけ通過させるようにすることにより、通風抵抗を抑えることができるが、送風路を広く形成する必要があり、空気清浄機の本体筐体が大きくなってしまう問題があった。
【０００９】
本発明は以上述べた問題点を解決し、脱臭と加湿を可能にしつつ、筐体を小型化し通風抵抗を抑えることができる空気清浄機を提供することを目的とする。
【課題を解決するための手段】
【００１０】
本発明は上述の課題を解決するものであって、本発明の空気清浄機は、筐体内に空気を吸い込む空気吸込口と、筐体内から外部へ空気を吹き出す空気吹出口と、空気吸込口と空気吹出口とを連通させる通風路を備える本体部とを有し、本体部内に、取り込んだ空気を脱臭する脱臭ユニットと、取り込んだ空気を加湿する加湿ユニットと、送風機とを備えたものであって、脱臭ユニットは脱臭フィルタを備え、加湿ユニットは加湿フィルタを備え、通風方向に対して脱臭ユニットと加湿ユニットとをお互いに一部が重なるように通風路に沿って順次配置したことで、通風路内に、加湿ユニットを通過せずに脱臭ユニットを通過する第１通風経路と、脱臭ユニットを通過せずに加湿ユニットを通過する第２通風経路と、脱臭ユニットと加湿ユニットの両方を通過する第３通風経路とが形成される。
【発明の効果】
【００１１】
本発明の空気清浄機は、脱臭ユニットは脱臭フィルタを備え、加湿ユニットは加湿フィルタを備え、通風方向に対して脱臭ユニットと加湿ユニットをお互いに一部が重なるように通風路に沿って順次配置するため、脱臭と加湿を可能にしつつ、筐体を小型化し通風抵抗を抑えることができる。
【図面の簡単な説明】
【００１２】
【図１】本発明の実施形態における、空気清浄機の外観斜視図である。
【図２】本発明の実施形態における、空気清浄機の上面図である。
【図３】図１におけるＸ−Ｘ断面図である。
【図４】図１におけるＹ−Ｙ断面図である。
【図５】本発明の実施形態における要部斜視図であり、集塵ユニットの配置説明図である。
【図６】本発明の実施形態における要部斜視図であり、脱臭ユニットおよび加湿ユニットの配置説明図である。
【図７】本発明の実施形態における要部斜視図であり、送風機の配置説明図である。
【発明を実施するための形態】
【００１３】
以下、本発明の実施の形態を、添付図面に基づいて詳細に説明する。尚、本発明は以下の実施形態に限定されることはなく、本発明の主旨を逸脱しない範囲で種々変形することが可能である。
【実施例】
【００１４】
図１および図２に示すように、本発明の一実施形態である空気清浄機１は、各々合成樹脂材で成形された天面パネル１１ａ、右側面パネル１１ｂ、左側面パネル１１ｃ、底部１１ｄで略直方体状に形成された本体部１１を有し、本体部１１の一方の面に合成樹脂材で成形された前面パネル１２が配置され、他方の面に合成樹脂材で成形されたリアパネル１４が配置されている。尚、以降の説明において、必要に応じ本体部１１の前面パネル１２配置側を本体部前面側、本体部１１のリアパネル１４配置側を本体部背面側と称する。
【００１５】
前面パネル１２の前方には、合成樹脂材で成形されたフロントパネル１３が配置され、このフロントパネル１３と前面パネル１２との間に、本発明の空気吸込口である上面吸込口１３ａ、右側面吸込口１３ｂ、および左側面吸込口１３ｃが形成される。また、本体部１１とリアパネル１４との間に、本発明の空気吹出口である上面吹出口１４ａ、右側面吹出口１４ｂ、および左側面吹出口１４ｃが形成される。空気清浄機１では、上面吸込口１３ａ、右側面吸込口１３ｂ、および左側面吸込口１３ｃから本体部１１に吸い込んだ空気を、上面吹出口１４ａ、右側面吹出口１４ｂ、および左側面吹出口１４ｃから室内に吹き出す間に、空気の除塵・加湿および脱臭処理が行われるようになっている。
尚、図３および図４に示すように、上面吸込口１３ａ、右側面吸込口１３ｂ、および左側面吸込口１３ｃと、上面吹出口１４ａ、右側面吹出口１４ｂ、および左側面吹出口１４ｃとを連通する本体部１１内部の空間が、本発明の空気清浄機１における通風路１０となる。
【００１６】
空気清浄機１の上面部には、上面吸込口１３ａの一部を覆うように操作部１５が設けられている。操作部１５は、電源ボタンや運転モード切り換えボタン等の空気清浄機１を操作するボタンが配置されるとともに、空気清浄機１の運転状態や図示しない塵埃センサ等の検出器における検出結果を表示する表示部が配置されている。
【００１７】
図３に示すように、空気清浄機１の本体部１１内部の通風路１０には、上面吸込口１３ａ、右側面吸込口１３ｂ、および左側面吸込口１３ｃから上面吹出口１４ａ、右側面吹出口１４ｂ、および左側面吹出口１４ｃに向かって順に、プレフィルタ２１、集塵ユニット２２、脱臭ユニット２３、加湿ユニット２４、送風機２５が配置されている。
【００１８】
プレフィルタ２１は、例えば糸状のＰＥＴ材を編みこんで網目構造としたものであり、本体部１１内部に吸い込まれる空気に含まれる塵埃を捕集する。図４に示すように、プレフィルタ２１は、本体部前面側に向かって凸となるようなアーチ形状に形成されているので、プレフィルタ２１を平坦な形状とする場合と比べて、上面吸込口１３ａ、右側面吸込口１３ｂ、および左側面吸込口１３ｃから本体部１１内部に吸い込まれた空気がプレフィルタ２１を通過する面積が大きくなるので、より多くの塵埃を捕集することができる。
【００１９】
図３および図５に示すように、集塵ユニット２２は、第１電気集塵機２２ａと第２電気集塵機２２ｂとで構成されており、第１電気集塵機２２ａと第２電気集塵機２２ｂとは上下方向に並べて配置されている。第１電気集塵機２２ａおよび第２電気集塵機２２ｂは、図示しない放電電極と集塵電極とを有し、放電電極によるコロナ放電によりプレフィルタ２１で捕集できなかった細かな塵埃や花粉等を帯電させ、帯電した塵埃や花粉等を集塵電極で捕集する。第１電気集塵機２２ａおよび第２電気集塵機２２ｂは、主に上述した放電電極や集塵電極、および、これらを保持する筐体で形成されているので、集塵ユニット２２は、背景技術で説明した不織布をプリーツ形状に形成した集塵フィルタに比べて空気抵抗が小さい。尚、図５においては、集塵ユニット２２（第１電気集塵機２２ａおよび第２電気集塵機２２ｂ）が視認しやすいようにするために、フロントパネル１３の描画を省略している。
【００２０】
図３、図４および図６に示すように、脱臭ユニット２３は、脱臭フィルタ２３ａと加熱手段である加熱部２３ｆとを有する。図６に示すように、脱臭フィルタ２３ａは、例えば、平板材と波形に連続屈曲した屈曲材とを交互に積層してなる波形構造やハニカム構造のような多孔構造の基材を円板形状に形成してなり、その基材２３ａａに臭気成分を吸着して分解する触媒層２３ａｂを設けたものである。図３および図４に示すように、加熱部２３ｆは、ＰＴＣヒータ２３ｂと、２枚の放熱板２３ｃと、２個の断熱材２３ｄと、２個のケース２３ｅとで構成される。ＰＴＣヒータ２３ｂは、２枚の放熱板２３ｃのうち本体部前面側に配置された放熱板２３ｃに取り付けられて、２枚の放熱板２３ｃを加熱する。２枚の放熱板２３ｃは、各々が略三角形状に形成された金属板であり、図３および図４に示すように、脱臭フィルタ２３ａの一部を覆うように配置される。２枚の放熱板２３ｃは、脱臭フィルタ２３ａの中央部に位置する箇所や脱臭フィルタ２３ａの外径側で接触するように構成されているので、ＰＴＣヒータ２３ｂにより本体前面側に配置された放熱板２３ｃだけではなく、本体背面側の放熱板２３ｃも加熱される。断熱材２３ｄは、ＰＴＣヒータ２３ｂや放熱板２３ｃを覆うように配置されてＰＴＣヒータ２３ｂや放熱板２３ｃからの熱が外部に逃げることを抑制する。ケース２３ｅは、ＰＴＣヒータ２３ｂや放熱板２３ｃや断熱材２３ｄを保持できる形状に形成されている。
このように、脱臭フィルタ２３ａは多孔構造を有しており、また、加熱部２３ｆが脱臭フィルタ２３ａの一部のみ覆う構造となっているので、脱臭フィルタ２３ａの空気抵抗は小さい。
【００２１】
脱臭フィルタ２３ａの脱臭能力を再生するときは、ＰＴＣヒータ２３ｂにより２枚の放熱板２３ｃを加熱し、２枚の放熱板２３ｃにより覆われた脱臭フィルタ２３ａの一部を加熱する。図示しないモータによって脱臭フィルタ２３ａを回転させながら脱臭フィルタ２３ａを加熱することによって、脱臭フィルタ２３ａの触媒層２３ａｂに吸着されていた臭気成分の分解が促進され、脱臭フィルタ２３ａの脱臭能力が再生される。尚、脱臭フィルタ２３ａが回転するのではなく、放熱板２３ｃが移動することによって脱臭フィルタ２３ａを加熱してもよい。また、脱臭ユニット２３は上記に限らず、加熱手段（ＰＴＣヒータ２３ｂおよび放熱板２３ｃ）を設けず、触媒層の代わりに活性炭のような臭気成分の吸着材を基材に添加した脱臭フィルタで脱臭ユニットを構成し、吸着能力が低下すれば新しい脱臭フィルタに交換するようにしてもよい。
【００２２】
図３、図４および図６に示すように、加湿ユニット２４は、加湿フィルタ２４ａと水を貯留する貯水タンク２４ｂとを有する。加湿フィルタ２４ａは、円板形状に形成されてその一部が貯水タンク２４ｂに溜められた水に浸った状態で回転軸により回転可能に支持されており、図示しないモータにより回転させて、加湿フィルタ２４ａの外周に設けられた水汲み桶で貯水タンク２４ｂから水を汲み上げて加湿フィルタ２４ａを湿潤させるようになっている。尚、加湿ユニット２４は上記に限らず、回転によって水分を汲み上げる加湿フィルタ２４ａに代えて、毛細管現象によって水分を吸い上げる加湿フィルタであってもよい。また、図６においては、脱臭ユニット２３や加湿ユニット２４が視認しやすいようにするために、フロントパネル１３や底部１１ｄ以外の本体部１１を構成する部材、集塵ユニット２２等の描画を適宜省略している。
【００２３】
図３、図４および図７に示すように、送風機２５は、ターボファン２５ａとファンモータ２５ｂとを有する。ターボファン２５ａは、合成樹脂材で形成されており、ファンモータ２５ｂの出力軸に接続されている。ファンモータ２５ｂは回転数可変であり、ファンモータ２５ｂが回転することでターボファン２５ａも回転し、ターボファン２５ａの回転によって、空気清浄機１内部へ空気が流入あるいは空気清浄機１内部から空気が流出する。尚、図７においては、送風機２５が視認しやすいようにするために、フロントパネル１３や底部１１ｄ以外の本体部１１を構成する部材、集塵ユニット２２、脱臭ユニット２３、加湿ユニット２４等の描画を適宜省略している。
【００２４】
以上説明した構成を有する空気清浄機１において、使用者が操作部１５を操作して空気清浄機１の運転を開始すると、送風機２５が駆動するとともに、集塵ユニット２２の第１電気集塵機２２ａおよび第２電気集塵機２２ｂに通電が開始され、加湿ユニット２４の加湿フィルタ２４ａが回転を開始する。送風機２５が駆動すると、上面吸込口１３ａ、右側面吸込口１３ｂ、および左側面吸込口１３ｃから本体部１１内部に空気が吸い込まれる。
【００２５】
本体部１１内部に吸い込まれた空気は、１）通風路１０における脱臭ユニット２３の下部と加湿ユニット２４の上部とが前後方向に重なって配置される箇所では、プレフィルタ２１→集塵ユニット２２→脱臭ユニット２３→加湿ユニット２４の順に、２）通風路１０における脱臭ユニット２３の下部と加湿ユニット２４の上部とが前後方向に重なって配置されていない箇所では、プレフィルタ２１→集塵ユニット２２→脱臭ユニット２３の順に、または、プレフィルタ２１→集塵ユニット２２→加湿ユニット２４の順に、それぞれ流れて、上面吹出口１４ａ、右側面吹出口１４ｂ、および左側面吹出口１４ｃから空気清浄機１が設置された室内に吹き出される。
【００２６】
上記のように空気清浄機１内部の通風路１０を空気が通過する際に、プレフィルタ２１および通電されている集塵ユニット２２で塵埃や花粉が除去される。また、脱臭ユニット２３で臭気成分が除去されるとともに、加湿ユニット２４で加湿される。尚、上述したように、脱臭ユニット２３より各空気吸込口側に集塵ユニット２２が配置されているので、脱臭ユニット２３に流入する空気は塵埃や花粉等が除去されており、塵埃や花粉等によって脱臭ユニット２３の脱臭フィルタ２３ａが目詰まりすることがない。
【００２７】
図３および図６を用いて、脱臭ユニット２３と加湿ユニット２４の配置についてさらに詳述する。図３、図６に示すように、脱臭ユニット２３と加湿ユニット２４は、脱臭ユニット２３が備える脱臭フィルタ２３ａと、加湿ユニット２４が備える加湿フィルタ２４ａとが、通風方向に対してお互いに一部が重なるように通風路１０に沿って順次配置されている。具体的には、脱臭ユニット２３を通風路１０の上部に配置し、加湿ユニット２４を通風路１０の下部に配置することにより、脱臭フィルタ２３ａの下部と加湿フィルタ２４ａの上部とが通風方向に対して前後方向に重なって通風路１０に配置されている（図３のＡ部分）。このように、脱臭ユニット２３と加湿ユニット２４を配置することにより、脱臭と加湿を可能にしつつ、筐体を小型化し通風抵抗を抑えることができ、脱臭後の空気の一部を加湿フィルタ２４ａで加湿することもできる。また、脱臭ユニット２３を上部、加湿ユニット２４を下部に配置することで、図６に示すように、脱臭ユニット２３が備える加熱部２３ｆと、加湿ユニット２４が備える貯水タンク２４ｂをお互いに離した位置に配置することができるため、加湿ユニット２４において、加湿フィルタ２４ａの回転によって貯水タンク２４ｂに溜められた水を汲み上げて加湿フィルタ２４ａを湿潤させる際に、汲み上げた水が脱臭ユニット２３の加熱部２３ｆに飛散することがない。
【００２８】
図６に示すように、脱臭ユニット２３は、加湿ユニット２４の風上側に配置されており、脱臭フィルタ２３ａを回転可能に保持する保持部２３ｇを有する。保持部２３ｇは、内形が脱臭フィルタ２３ａの円板形状に沿った円筒形状に形成され、外形が矩形状に形成されている。また、保持部２３ｇは、通風方向に対して加湿フィルタ２４ａと重なる下部の位置に、本体部１１内部に吸込まれた空気を通風する通風孔２３ｇａ（通風手段）が形成されている。尚、通風手段は、通風孔２３ｇａに替えて切欠きが形成されていてもよい。上述したように、加湿ユニット２４よりも風上側に脱臭ユニット２３が配置されているので、加湿された水分を含んだ空気によって脱臭ユニット２３の脱臭フィルタ２３ａが目詰まりすることがない。
【００２９】
なお、加湿ユニット２４は、図示しないモータの駆動を制御することで、加湿フィルタ２４ａの湿潤状態を制御することができる。操作部１５の運転モード切り換えボタンの押下により、脱臭のみの運転モードが選択されると、図示しないモータの駆動を止め、加湿フィルタ２４ａの回転を停止させ、加湿フィルタ２４ａへの水の供給を停止することで、空気の加湿運転を停止させる。
【００３０】
また、以上説明したように、本実施形態の空気清浄機１は、２台の電気集塵機からなる集塵ユニット２２と、２枚の放熱板２３ｃが脱臭フィルタ２３ａの一部のみを覆うよう構成された脱臭ユニット２３と、ターボファン２５ａを有する送風機２５とを有する。そして、前述したように、集塵ユニット２２は、背景技術で説明した不織布をプリーツ形状に形成した集塵フィルタに比べて通風抵抗が小さく、また、脱臭ユニット２３も、背景技術で説明した触媒フィルタとほぼ同面積となるよう形成された板形状の加熱部を有する脱臭ユニットに比べて通風抵抗が小さい。
【００３１】
また、集塵ユニット２２や脱臭ユニット２３の通風抵抗が小さいだけでなく、図３乃至図７に示したように、脱臭ユニット２３と加湿ユニット２４が一部で重なるように配置していることから、上面吸込口１３ａ、右側面吸込口１３ｂ、および左側面吸込口１３ｃから上面吹出口１４ａ、右側面吹出口１４ｂ、および左側面吹出口１４ｃに向かって、集塵ユニット２２、脱臭ユニット２３、加湿ユニット２４、送風機２５の順に並べて配置しても通風抵抗が大きくならないので、シロッコファンと比べて静圧が低い、つまり、同じ通風抵抗がある場合においてシロッコファンより風量が小さいが、シロッコファンと比べて効率が高く騒音が小さいターボファン２５ａを送風機２５に用いることができ、必要な集塵能力や脱臭能力を確保しつつ騒音を抑制した空気清浄機１を実現できる。尚、ターボファン２５ａは、シロッコファンが備える渦巻きケーシングが不要なことから、シロッコファンより小型化と薄型化ができる。このため、空気清浄機１の筐体寸法が大きくなることをさらに防ぐことができる。そして、上記のように通風路１０に沿って順次各構成（集塵ユニット２２、脱臭ユニット２３、加湿ユニット２４、送風機２５）を並べて配置することによって、本体部１１が前後（奥行き）方向の寸法が長くなり、かつ、本体部１１の前面側に各空気吸込口を配置し本体部１１の背面側に各空気吹出口を配置しているので、図４に示す各空気吸込口と各空気吹出口との距離Ｌを大きくすることができる。これにより、各空気吹出口から室内に吹き出された空気がすぐに各空気吸込口から空気清浄機１内部に吸い込まれる、所謂空気吸込口と空気吹出口との間のショートサーキットの発生が抑制される。
【００３２】
上述したショートサーキットが発生しづらい距離Ｌを実現できるので、本体部１１前方の上端部、右側端部、左側端部の３方向から空気清浄機１内部に空気を吸込むための上面吸込口１３ａ、右側面吸込口１３ｂ、および左側面吸込口１３ｃを備えることができ、また、本体部１１後方の上端部、右側端部、左側端部から３方向へ空気を吹き出すための上面吹出口１４ａ、右側面吹出口１４ｂ、および左側面吹出口１４ｃを備えることができる。従って、空気吸込口および空気吹出口の面積を大きくでき、空気の吸い込み量や吹き出し量を十分に確保できるとともに、３方向からの空気の吸い込みおよび吹き出しを行うことで、空気清浄機１が設置された室内の空気をまんべんなく吸い込んで集塵・加湿および脱臭し、浄化した空気を吹き出して室内に行き渡らせることができる。
【００３３】
尚、図３の線分Ｐに示すように、ファンモータ２５ｂの中心の高さを、集塵ユニット２２の第１電気集塵機２２ａと第２電気集塵機２２ｂとの間の空間の高さに合せるように、集塵ユニット２２および送風機２５を配置することが望ましい。ファンモータ２５ｂの中心付近には、ターボファン２５ａの回転による空気の流れが少ないため、本体部１１内部におけるファンモータ２５ｂの中心付近の空間での空気の流れは少ない。そこで、集塵ユニット２２のうち空気が通過しても集塵能力のない第１電気集塵機２２ａと第２電気集塵機２２ｂとの間の空間の高さを、ファンモータ２５ｂの中心の高さに合わせることによって、空気の流れが多いターボファン２５ａの羽根が存在する空間に第１電気集塵機２２ａと第２電気集塵機２２ｂとを配置することとなるので、効率的に集塵ユニット２２での除塵が行える。
【００３４】
以上説明した通り、本実施形態の空気清浄機１は、脱臭フィルタ２３ａの下部と加湿フィルタ２４ａの上部とが通風方向に対して前後方向に重なるように通風路１０に配置されている。このため、脱臭と加湿を可能にしつつ通風抵抗を抑え、空気清浄機１の筐体である本体部１１が大きくなるのを避け小型化することができる。また、脱臭ユニット２３の保持部２３の下部に通風孔２３ｇａが形成されている。このため、脱臭ユニット２３の下部と加湿ユニット２４の上部が重なる箇所でも通風抵抗を抑えることができる。
【符号の説明】
【００３５】
１  空気清浄機
１０  通風路
１１  本体部
１２  前面パネル
１３  フロントパネル
１３ａ  上面吸込口
１３ｂ  右側面吸込口
１３ｃ  左側面吸込口
１４  リアパネル
１４ａ  上面吹出口
１４ｂ  右側面吹出口
１４ｃ  左側面吹出口
１５  操作部
２１  プレフィルタ
２２  集塵ユニット
２２ａ  第１電気集塵機
２２ｂ  第２電気集塵機
２３  脱臭ユニット
２３ａ  脱臭フィルタ
２３ａａ  基材
２３ａｂ  触媒層
２３ｂ  ＰＴＣヒータ
２３ｃ  放熱板
２３ｆ  加熱部
２３ｇ  保持部
２３ｇａ  通風孔（通風手段）
２４  加湿ユニット
２４ａ  加湿フィルタ
２４ｂ  貯水タンク
２５  送風機
２５ａ  ターボファン
２５ｂ  ファンモータ
【図１】
0005958507.tif 000002
【図２】
0005958507.tif 000003
【図３】
0005958507.tif 000004
【図４】
0005958507.tif 000005
【図５】
0005958507.tif 000006
【図６】
0005958507.tif 000007
【図７】
0005958507.tif 000008